(57)【要約】【課題】  貫流する流体の直接的な加熱を実現する加熱装置を提供する。【解決手段】  流体入口と流体出口とを有する流体通路が中に配置されたハウジングを具備する加熱装置において、交番磁界を生成する要素が前記ハウジング内に設けられていて、この要素が少なくとも１つの壁部によって前記流体通路から密封されて仕切られており、更に、交番磁界により加熱可能な少なくとも１つの金属製面状加熱要素が設けられていて、前記少なくとも１つの面状加熱要素が前記流体通路内に配置されている。【選択図】  図１
2014026976.tif 000002
【特許請求の範囲】
【請求項１】
流体入口と流体出口とを有する流体通路が中に配置されたハウジングを具備する加熱装置であって、交番磁界を生成する要素が前記ハウジング内に設けられていて、この要素が少なくとも１つの壁部によって前記流体通路から密封されて仕切られており、更に、交番磁界により加熱可能な少なくとも１つの金属製面状加熱要素が設けられていて、前記少なくとも１つの面状加熱要素が前記流体通路内に配置されている加熱装置。
【請求項２】
前記面状加熱要素を片側または両側において流体が流通可能であることを特徴とする、請求項１に記載の加熱装置。
【請求項３】
前記面状加熱要素を両側において流体が流通可能であり、前記面状加熱要素の一方の側における流体の流動方向が、前記面状加熱要素のもう一方の側における流動方向と同じ向きまたはその逆向きであることを特徴とする、請求項２に記載の加熱装置。
【請求項４】
前記交番磁界を生成する要素が実質的に平面状または中空円筒形の要素であることを特徴とする、請求項１、２または３に記載の加熱装置。
【請求項５】
前記面状加熱要素が実質的に平面状または中空円筒形の要素であることを特徴とする、請求項１または２に記載の加熱装置。
【請求項６】
前記交番磁界を生成する要素が中空円筒形の要素であり、少なくとも１つの面状加熱要素が前記交番磁界を生成する中空円筒形要素の半径方向内側および／または外側に配置されていることを特徴とする、請求項１〜５のいずれか１項に記載の加熱装置。
【請求項７】
前記交番磁界を生成する中空円筒形要素の半径方向内側および外側に１つまたは複数の中空円筒形の面状加熱要素が配置されていることを特徴とする、請求項６に記載の加熱装置。
【請求項８】
前記交番磁界を生成する要素が実質的に平らな要素であり、少なくとも１つの面状加熱要素が、前記交番磁界を生成する要素に隣接して片側または両側に配置されていることを特徴とする、請求項１〜７のいずれか１項に記載の加熱装置。
【請求項９】
前記交番磁界を生成する要素に隣接して両側に１つまたは複数の実質的に平らな面状加熱要素が配置されていることを特徴とする、請求項８に記載の加熱装置。
【請求項１０】
前記交番磁界を生成する要素が実質的に平面状または中空円筒形のコイルであることを特徴とする、請求項１〜９のいずれか１項に記載の加熱装置。
【請求項１１】
前記交番磁界を生成する要素を制御するための制御ユニットが設けられていることを特徴とする、請求項１〜１０のいずれか１項に記載の加熱装置。
【請求項１２】
前記制御ユニットが前記ハウジングに結合されていること、または前記ハウジング内に組み込まれていることを特徴とする、請求項１１に記載の加熱装置。
【請求項１３】
前記ハウジングが磁界吸収材または交番磁界に対して不透明な材料から成ることを特徴とする、請求項１〜１２のいずれか１項に記載の加熱装置。
【請求項１４】
前記壁部が磁界に対して透明な材料から成ることを特徴とする、請求項１〜１３の少なくともいずれか１項に記載の加熱装置。
【発明の詳細な説明】
【技術分野】
【０００１】
本発明は、加熱装置、特に自動車用の加熱装置に関する。
【背景技術】
【０００２】
従来技術において加熱装置は公知である。例えば、いわゆるＰＴＣ加熱要素を有する空気側の加熱装置が存在し、これらのＰＴＣ加熱要素に通電されて、これによりＰＴＣ加熱要素が加熱される。ＰＴＣ要素に接触している空気側の薄層を介して、熱は貫流する空気に伝達される。しかし、これらの加熱装置は、液状の媒体に必要な構造とは基本的に異なった構造を有する。
【０００３】
液状媒体用の加熱装置は、閉じられたハウジングを具備し、流体通路を有するように形成されていて、流体通路と流体出口とを備えており、前記ハウジング内に加熱要素が入り込んでいて、この加熱要素がＰＴＣ要素で加熱される。
【０００４】
液状媒体用のこのような加熱装置が有する短所は、加熱されるべき液状媒体が流通する流体通路以外の領域で熱が生成されることである。これにより、境界抵抗が存在することで加熱の遅延が生じ、これが短所とみなされ得る。
【発明の概要】
【発明が解決しようとする課題】
【０００５】
本発明の課題は、従来技術に比べて改善されており、かつ、貫流する流体の直接的な加熱を実現する加熱装置を提供することである。
【課題を解決するための手段】
【０００６】
これは、請求項１に記載の諸特徴によって実現される。
【発明を実施するための形態】
【０００７】
一実施形態では、加熱装置が、流体入口と流体出口とを有する流体通路が中に配置されたハウジングを具備し、交番磁界を生成する要素が前記ハウジング内に設けられていて、この要素は更に少なくとも１つの壁部によって前記流体通路から密封されて仕切られており、更に、交番磁界により加熱可能な少なくとも１つの金属製面状加熱要素が設けられていて、前記少なくとも１つの面状加熱要素は前記流体通路内に配置されている。これにより、前記交番磁界を生成する要素は、前記流体通路の外部および前記流体通路内の液体の流れの外部にあり、前記面状加熱要素は前記流体通路内に、従ってまた、流体の流れの中に配置されている。これによって、好ましくは、電気システムの分離、すなわち、前記流体通路の外部における前記交番磁界を生成する要素と前記流体通路内における加熱される面状加熱要素との間の分離が実現される。
【０００８】
この場合、特に好ましいのは、前記面状加熱要素を片側または両側において流体が流通可能な場合である。前記面状加熱要素は、好ましくは、前記流体通路内を貫流する流体に直接接触している。これにより、流体を良好かつ迅速に加熱することが実現される。
【０００９】
また、好都合であるのは、前記面状加熱要素を両側において流体が流通可能であり、前記面状加熱要素の一方の側における流体の流動方向が、前記面状加熱要素のもう一方の側における流動方向と同じ向きまたはその逆向きである場合である。これによって、流体は、連続的に、まず前記面状加熱要素の一方の側を通過し、その後にもう一方の側を通過するように案内される。これにより加熱の効率が向上する。
【００１０】
また、好都合であるのは、交番磁界を生成する要素が実質的に平面状または中空円筒形の要素である場合である。
【００１１】
また、有利であるのは、面状加熱要素が実質的に平面状または中空円筒形の要素である場合である。
【００１２】
また、有利であるのは、交番磁界を生成する要素が中空円筒形の要素であり、少なくとも１つの面状加熱要素が前記交番磁界を生成する中空円筒形要素の半径方向内側および／または外側に配置されている場合である。これにより、構造スペースの点で有利な加熱装置が生み出される。
【００１３】
また、有利であるのは、交番磁界を生成する中空円筒形要素の半径方向内側および外側に１つまたは複数の中空円筒形の面状加熱要素が配置されている場合である。また、これによって熱出力を向上させることも可能である。
【００１４】
また、有利であるのは、交番磁界を生成する要素が実質的に平らな要素であり、少なくとも１つの面状加熱要素が、前記交番磁界を生成する要素に隣接して片側または両側に配置されている場合である。これにより、特に平坦な構造様式が実現できる。
【００１５】
有利であるのは、前記交番磁界を生成する要素に隣接して両側に１つまたは複数の実質的に平らな面状加熱要素が配置されている場合である。これにより、熱出力を向上させることができる。
【００１６】
また、有利であるのは、交番磁界を生成する要素が実質的に平面状または中空円筒形のコイルである場合である。
【００１７】
また、有利であるのは、前記交番磁界を生成する要素を制御するための制御ユニットが設けられている場合である。
【００１８】
この場合に有利であるのは、前記制御ユニットが前記ハウジングに結合されている場合、または前記ハウジング内に組み込まれている場合である。
【００１９】
また、有利であるのは、前記ハウジングが磁界吸収材または交番磁界に対して不透明な材料から成る場合である。
【００２０】
この場合、また有利であるのは、前記壁部が実質的に磁界に対して透明な材料から成る場合である。
【００２１】
その他の有利な実施態様に関しては、以下の図説および従属請求項によって説明されている。
【図面の簡単な説明】
【００２２】
【図１】壁部内に収容された電気加熱要素を示す模式図である。
【図２】壁部内に収容された電気加熱要素を示す模式図である。
【図３】加熱装置を示す断面図である。
【図４】加熱装置の要素を示す図である。
【図５】加熱装置の要素を示す図である。
【図６】加熱装置の要素を示す図である。
【図７】加熱装置の要素を示す図である。
【図８】加熱装置を示す図である。
【図９】加熱装置の更に別の実施例を示す斜視断面図である。
【図１０】前記加熱装置の細部を示す図である。
【図１１】前記加熱装置の断面を示す図である。
【実施例】
【００２３】
以下において、本発明について、少なくとも１つの実施例に基づいて、図面を参照しながら更に詳述する。
【００２４】
図１は交番磁界を生成する要素１を示し、この要素は、包囲する壁部２によって包囲されていることで外方向に対して密封され、かつ、電気的に絶縁されて収容されている。前記壁部２は、好ましくは密閉されたハウジングであり、このハウジングは流体通路内へ挿設でき、これにより、前記交番磁界を生成する要素１は、流体通路と前記流体通路内を貫流する流体とから分離されている。前記交番磁界を生成する要素１はコイルとして形成されており、このコイルは実質的に平坦かつ円形に形成されている。前記コイルは多芯撚り線３が巻回されたものであり、好ましくは二層に巻回して形成されており、これにより、前記撚り線３の２本の接続線４、５が互いに対して平行に延びている。好ましくは、コイルとして形成された、交番磁界を生成するための前記要素は、前記壁部２内に封入固定されている。これにより、前記コイルは前記壁部内で移動することができないので、前記壁部内における前記コイルの安定した配置を生み出すことができる。
【００２５】
図２は、交番磁界を生成可能な要素１０の更に別の実施例を示す。前記要素１０は、中空円筒形に形成されたコイルとして形成されている。この場合、前記コイル１０は、巻回された撚り線１１によって形成されており、この撚り線は二層に延設されていて、これにより、接続部１２および１３は実質的に互いに対して平行に延設されている。また、前記撚り線は、有利には多芯撚り線として実施されている。
【００２６】
前記要素１０は壁部１４内に収容されており、この壁部は二重壁の中空円筒として形成されていて、前記壁部１４は前記要素１０を完全に包囲して密封する。好ましくは、前記要素１０は前記壁部１４内に封入固定されている。
【００２７】
図３は、ハウジング２１と該ハウジング内に配置された流体通路２２とを備えた加熱装置２０の実施例を示す。前記流体通路２２は流体入口２３と流体出口２４とを有し、これにより、流体は矢印２５に従って前記流体入口２３内へ流入でき、前記流体通路２２内を貫流して前記流体出口２４から前記ハウジング２１を再び離れることができる。
【００２８】
前記ハウジング２１は実質的に円筒状に形成されており、前記流体入口２３は円筒壁部２６に配置されている。前記流体出口２４は、前記ハウジング２１の円筒部の底壁部２７に配置されている。好ましくは、前記流体入口は前記円筒状のハウジング２１の下端に配置されている。前記流体出口２４は、好ましくは前記底壁部２７の中央に配置されている。
【００２９】
従って、前記ハウジング２１は、少なくとも、円筒壁部２６と下方底壁部２７とを備えた円筒状の外装部と、上方蓋部２８とによって形成され、前記ハウジングはその他の要素も包囲することが可能である。
【００３０】
前記円筒状のハウジング２１内に、交番磁界を生成する要素２９が中空円筒形のコイルとして収容されている。
【００３１】
交番磁界を生成する要素２９としての前記コイルは壁部３０内に配置されており、この壁部は前記要素２９を実質的に完全に包囲する。この場合、前記壁部３０は半径方向外側の壁領域３０’と半径方向内側の壁領域３０’’とを有し、これらの領域は、上方において前記ハウジング蓋部２８によって密閉されており、下方領域において壁領域３０’’’によって閉鎖されている。この場合、前記壁領域３０’’’は環状の壁領域である。
【００３２】
従って、前記壁部３０は、交番磁界を生成する要素２９としての前記コイルを実質的に完全に包囲する。この場合、更に、前記要素２９は前記壁部３０内に注封材３１によって封入固定することができ、これにより、前記要素を形状安定的に収容することが可能である。前記注封材は、交番磁界を生成する要素２９としての前記コイルと前記壁部３０との間の空隙内に注入される。
【００３３】
更に、前記ハウジング２１内には２つの面状加熱要素３２、３３が設けられており、これらの面状加熱要素は中空円筒形の平面的な要素として形成されている。前記面状加熱要素３２、３３は好ましくは金属で形成されており、これにより、これらの要素は、前記中空円筒形要素の壁厚内に生じる円電流によって加熱される。前記円電流は、交番磁界によって面状加熱要素としての前記中空円筒形要素３２、３３内に誘導される。前記面状加熱要素は、好ましくは金属薄板として形成されている。この場合、前記壁厚は、約０．０８ｍｍ〜０．５ｍｍの範囲の厚さである。
【００３４】
前記面状加熱要素３２は中空円筒の形状を有し、前記要素２９の外半径あるいは前記壁部３０の外半径よりも大きな半径を有する。
【００３５】
前記面状加熱要素３３は中空円筒形に形成されており、前記要素２９の内半径あるいは前記壁部３０の内半径よりも小さな半径を有し、従って、前記面状加熱要素３３は前記要素２９の半径方向内側に配置されている。
【００３６】
更に、前記面状加熱要素３２は、その半径が前記中空円筒形のハウジング２１の半径よりも小さくなるように寸法設定されている。前記面状加熱要素３２は、前記壁部３０と前記ハウジング２１との間に収容されている。
【００３７】
これにより、流体が貫流するための多流路型の流体通路２２が前記ハウジング内に生じる。前記流体通路２２は流体通路２２’、２２’’、２２’’’、２２’’’’によって形成され、これらの流体通路は外側から内側へ環状の流路として形成されている。流体２５は、前記流体入口２３を通じて前記ハウジング２１内へ流入する。流体は、前記流体通路２２’に前記ハウジングの下部から流入し、前記面状加熱要素３２に沿って軸方向に上方へ蓋部２８に向かって流れる。前記蓋部の近傍で、流体は矢印３４に従って方向が変えられ、前記流体通路２２’’を通じて前記面状加熱要素３３に沿って軸方向に下方へ底部２７に向かって流れる。流体は、底部で矢印３５に従って再び方向が変えられ、前記流体通路２２’’’に沿って軸方向に再び上方へ蓋部２８に向かって流れる。流体は上部で矢印３６に従って再び方向が変えられ、前記流体通路２２’’’’を通じて再び下方に前記底部に向かって前記流体出口２４へ流れる。
【００３８】
従って、流体は、前記流体通路２２’および２２’’を通って２回前記面状加熱要素３２に沿って流れ、かつ、前記流体通路２２’’’および２２’’’’を通って２回前記面状加熱要素３３に沿って流れる。それに続いて、流体は前記加熱装置を離れて前記流体出口２４から流出する。
【００３９】
前記ハウジング２１と壁部２６とに隣接して制御機構３７が配置されており、この制御機構は前記交番磁界を生成する要素２９を制御する。そのために、前記要素２９の接続線３８が前記制御ユニット３７内へ延設されている。その際、前記蓋部２８は、前記接続線３８を前記壁部３０の領域から前記制御ユニット３７のハウジング４０内へ延設できるように凹部または凸部３９を有する。
【００４０】
見て取れるように、前記壁部３０’と前記面状加熱要素３２との間の距離は、前記壁部３０’’と前記面状加熱要素３３との間の距離よりも小さい。これの理由は以下の点にある。すなわち、前記両距離が異なっていることで、中空円筒形の要素として形成された前記面状加熱要素３２あるいは３３の表面において、交番磁界によって実質的に同じエネルギー面密度が生成されるからであり、従って、前記面状加熱要素３２による流体の加熱は、実質的に単位面積当たり前記面状加熱要素３３に基づく流体の加熱と等しくなる。
【００４１】
しかし、前記加熱装置の別の構成の場合、前記面状加熱要素の上述の配置とは異なる配置にすることも可能である。前記それぞれ面状加熱要素３２あるいは３３と前記要素２９の隣接する壁部３０’あるいは３０’’との間の距離を変えることが可能である。前記面状加熱要素３３と前記壁部３０’’との間の距離を前記面状加熱要素３２と前記壁部３０’との間の距離と等しくしておくことも可能である。あるいは、前記面状加熱要素３３と前記壁部３０’’との間の距離を、前記面状加熱要素３２と前記壁部３０’との間の距離よりも小さくしておくことも可能である。
【００４２】
図４は前記要素２９の配置を示し、この要素は、図４の実施例ではコイルとして形成されている。この場合、前記コイルは金属撚り線で二層に巻回しておくことができ、これにより、前記コイルの２本の接続線を互いに対して平行に延設することができる。
【００４３】
コイルとして形成された前記要素２９の半径方向内側に面状加熱要素３３が見て取れ、この面状加熱要素は前記コイルの中空スペース内へ入り込んでいる。この面状加熱要素３３は、その軸方向下端において前記底部２７によって保持され、この底部には前記流体出口２４も配置されている。前記流体入口２３は概略的に示されており、この流体入口は、前記ハウジング２１の外側の円筒状壁部２６に接続されている。
【００４４】
図５では、図４の構成に更に前記壁部３０が加えて示されている。前記壁部３０によって前記要素２９は密封して包囲されており、これにより、前記交番磁界を生成する要素２９全体を、前記流体通路の外部でありながら密封した状態で配置することが可能となる。
【００４５】
図６は、図５に加えて、前記半径方向外側の面状加熱要素３２が配置された状態を示す。この面状加熱要素は壁部３０を取り囲んでおり、前記流体通路２２’’を形成できるようにこの壁部３０との間に距離を保っている。その際、軸方向において前記上方縁部４１と前記壁部３０の縁部４２との間に距離が置かれており、これによって、流体の方向を前記通路２２’から前記通路２２’’内へ変えることが可能となる。
【００４６】
図７および図８は、前記ハウジング２と前記接続蓋部２８とを備えた前記加熱装置１を示す。また、側方フランジ４３が設けられており、このフランジは前記制御ユニット３７を固定して設置するために用いられる。
【００４７】
この場合、前記フランジ４３は、付加的な部材として前記壁部２に設置されているか、または、前記壁部と一体的に形成されている。その際、前記壁部は、前記フランジ４３と共に例えば押出し成形された構成部材として製造しておくことが可能である。
【００４８】
前記流体接続部２３は、前記フランジ４３の領域に設置されており、前記加熱装置に流体を供給する働きをする。また、前記要素２９の接続部３８を前記ハウジングの内部スペースから電子制御ユニット３７へ渡すための前記通路状領域３９が見て取れる。この領域は通路状に形成されており、前記ハウジングの内部スペースを前記蓋部２８を介して前記制御ユニット３７に接続する。この場合、前記電子制御ユニット３７は前記フランジ４３上に載設されており、熱伝導性を有した状態でこのフランジに結合されている。これにより、前記制御ユニット３７内に備えられたパワーエレクトロニクス装置を前記加熱装置内を流れる流体によって冷却することができる。
【００４９】
図９〜図１１は本発明の更に別の実施例を示し、この実施例の場合、前記交番磁界を生成する要素も前記面状加熱要素も中空円筒形には形成されておらず、実質的に面状の平坦な要素として形成されている。
【００５０】
図９〜図１１の実施例は、ハウジングフランジ１０１に結合されたハウジング１００を示す。前記ハウジングフランジは、前記交番磁界を生成する要素の保持部の延通部１０２および同要素の電気接触部として機能する。前記ハウジング１００内には、交番磁界を生成する２つの要素１０３が配置されていて、これらの要素は両側面において壁部１０４で包囲されており、これにより、前記要素１０３は密封されて前記流体通路から分離されている。
【００５１】
前記面状の交番磁界生成要素１０３と前記面状の壁部１０４とに対して平行かつ離間して、面状加熱要素１０５が配置されている。有利には、交番磁界生成要素の一方の側にそれぞれ２つの面状加熱要素１０５が互いに平行かつ離間して配置されている。あるいは、前記要素１０３の一方の側にただ１つの面状加熱要素１０５を配置しておくことも可能である。これらの面状加熱要素１０５は前記壁部１０４から離間して配置されており、その結果、前記２つの面状加熱要素１０５の間においても面状加熱要素１０５と壁部１０４との間においても、前記流体通路１０６を通って流体が流れることができ、これにより、前記面状加熱要素１０５によって流体を加熱することが可能となる。
【００５２】
図９〜図１１の実施例から見て取れるように、２つの面状加熱要素１０５がそれぞれ互いに対して平行に配置されている。従って、前記コイルの両側にただ１つの面状加熱要素が配置された図３〜図８の例とは異なる構成が示されている。また、図３〜図８の実施例において、平行に配置された複数の面状加熱要素を、貫流する流体を加熱する働きをする前記コイルの各々の側に設けておくことも可能であろう。
【００５３】
用いられる材料に関しては、交番磁界を生成するコイル状の要素を収容して密封するための前記壁部３０あるいは１０４は、好ましくは、磁界に対して透明なプラスチック材料で製造されている。これにより、生成される交番磁界は、前記壁部３０あるいは１０４によって不所望な妨害を被ることがない。
【００５４】
それに対して、前記ハウジング壁部１００あるいは２は磁界に対して不透明な材料から成っており、これにより、好ましくは、前記ハウジング内に生成された磁界が前記ハウジング２から外に向かって進み出ることがなく、前記ハウジング２によって遮蔽される。このために適しているのは、例えばアルミニウム等の金属材料である。このような材料が有する長所は、前記ハウジングの領域における交番磁界がこの材料内にも円電流を生成し、これにより、前記ハウジング自体の壁部を加熱するという点であり、その結果、前記ハウジングも加熱要素としての作用を持つことができる。
【００５５】
前記交番磁界を生成する要素は、好ましくは、多芯撚り線である高周波撚り線が巻回されたものである。従って、簡単かつ好都合に、平らなコイルまたは中空円筒形のコイルを巻回して形成することができる。その際に有利であるのは、前記コイルがプラスチックハウジングのような非導電性材料の中に収容または埋設または注封されている場合である。この場合、前記コイルは単芯状または二芯状に巻回しておくことが可能である。
【００５６】
交番磁界を生成するための要素としての前記交番磁界を生成するためのコイルは、制御電子システム内においてコンデンサと共に発振回路の中に組み込まれており、この発振回路はスイッチングトランジスタによって制御あるいは駆動される。前記制御電子システムは、好ましくは前記制御ユニット内に組み入れられている。この場合、前記発振回路の周波数は約１０ｋＨｚ〜８０ｋＨｚである。
【００５７】
前記面状加熱要素の材料に基づいて、交番磁界によって前記面状加熱要素内に渦電流が誘導され、これらの渦電流によって前記面状加熱要素の加熱が生じる。これらの面状加熱要素の周囲を流体が流れると、これにより流体の加熱が生じる。
【００５８】
前記面状加熱要素の材料としては、良導電性の金属材料が好ましく、例えば銅、鋼または鉄含有材料等である。材料の厚さは０．０８ｍｍから０．５ｍｍの間が好ましい。
【符号の説明】
【００５９】
１  交番磁界を生成する要素、加熱装置
２  壁部、ハウジング
３  撚り線
４  接続線
５  接続線
１０  交番磁界を生成する要素
１１  撚り線
１２  接続部
１３  接続部
１４  壁部
２１  ハウジング
２２  流体通路
２２’  流体通路
２２’’  流体通路
２２’’’  流体通路
２２’’’’  流体通路
２３  流体入口、流体接続部
２４  流体出口
２５  矢印、流体
２６  円筒壁部
２７  底壁部、底部
２８  蓋部
２９  交番磁界を生成する要素
３０  壁部
３０’  壁領域、壁部
３０’’  壁領域、壁部
３０’’’  壁領域
３１  注封材
３２  面状加熱要素
３３  面状加熱要素
３４  矢印
３５  矢印
３６  矢印
３７  制御機構、制御ユニット
３８  接続線、接続部
３９  凹部、凸部、通路状領域
４０  ハウジング
４１  縁部
４２  縁部
４３  フランジ
１００  ハウジング、ハウジング壁部
１０１  ハウジングフランジ
１０２  延通部
１０３  交番磁界を生成する要素
１０４  壁部
１０５  面状加熱要素
１０６  流体通路
【図１】
2014026976.tif 000003
【図２】
2014026976.tif 000004
【図３】
2014026976.tif 000005
【図４】
2014026976.tif 000006
【図５】
2014026976.tif 000007
【図６】
2014026976.tif 000008
【図７】
2014026976.tif 000009
【図８】
2014026976.tif 000010
【図９】
2014026976.tif 000011
【図１０】
2014026976.tif 000012
【図１１】
2014026976.tif 000013